(57)【特許請求の範囲】
【請求項１】
管用ねじ接合部であって、
ピン部材及びボックス部材であり、該ピン部材が該ボックス部材の雌ねじ山に対応するよう構成された雄ねじ山を有するピン部材及びボックス部材と、
スタブフランク及び負荷フランクと、平坦な谷及び頂きと、を有する略ダブテイル型のプロフアイルを備える該雌ねじ山及び該雄ねじ山のねじ山形と、を具備しており、
該雌ねじ山は該ボックス上で１つの方向に幅を増大し、該雄ねじ山は該ピン上でもう１つの方向に幅を増大しているので、該ねじ山の該谷、頂き、及びフランクは一緒に動き、シールを形成し、該シール間で流体の流れに抵抗するシールを形成しており、該ねじ接合部は又
該雌ねじ山及び該雄ねじ山の特定の領域に付けられたポリテトラフルオロエチレンから成るフルオロポリマーベースのコーティングと、そして
該フルオロポリマーベースのコーティングを欠いた該雌ねじ山及び雄ねじ山の領域に配置された樹脂コーティングと、を具備しており、
該フルオロポリマーベースのコーティングと樹脂コーティングは一緒になって該雌ねじ山及び該雄ねじ山の全表面上に実質的に均一なコーティング層を形成するねじ接合部。
【請求項２】
該フルオロポリマーベースのコーティングが、該雌ねじ山及び雄ねじ山の、ねじ山頂きと、ねじ山谷の実質的に中央の領域と、に付けられる請求項１記載のねじ接合部。
【請求項３】
該フルオロポリマーベースのコーティングが約２０−４０重量パーセントのポリテトラフルオロエチレンと約４０−６０重量パーセントのエポキシ樹脂との混合物を有する請求項１記載のねじ接合部。
【請求項４】
該フルオロポリマーベースのコーティングの付着の前に、化学的コーティングが該雌ねじ山及び雄ねじ山の全表面に付けられる請求項１記載のねじ接合部。
【請求項５】
該化学的コーティングが燐酸塩コーティング、蓚酸塩コーティング、及び硼酸塩コーティングから成るグループから選択される請求項４記載のねじ接合部。
【請求項６】
該フルオロポリマーベースのコーティングの付着の前に機械的表面処理が該雌ねじ山及び雄ねじ山の全表面に付けられる請求項１記載のねじ接合部。
【請求項７】
該フルオロポリマーベースのコーティングが約１０から約４０マイクロメートルの範囲内の半径方向厚さを有する請求項１記載のねじ接合部。
【請求項８】
該樹脂コーティングが約１０から約４０マイクロメートルの範囲内の厚さを有する請求項１記載のねじ接合部。
【発明の詳細な説明】
【技術分野】
【０００１】
ここに開示される実施例は一般的に楔形ねじ山を有するねじ接合部に関する。特に、ここに開示される実施例は上に付けられた改良した表面コーティングを有する楔形ねじ山と該改良した表面コーティングを付ける方法とに関する。
【背景技術】
【０００２】
ケーシングジョイント、ライナー及び他の油田用管は油井を掘削、完成、そして生産するため使われることが多い。例えば、ケーシングジョイントは坑壁内に置かれ、高い坑壁圧力（例えば、形成部圧力を超える坑壁圧力）に対し形成部を安定化し、防護するが、該圧力はさもないと該形成部を損傷させる。ケーシングジョイントはねじ結合部、溶接結合部又は当該技術で公知の何等かの他の結合機構により、縦一列の仕方で接続されてもよい管（例えば鋼又はチタン）の部分である。この様であるから、結合部は通常は、接続されたケーシングジョイントの内部と、該ケーシングジョイントの外壁及び該坑壁の内壁の間に形成される冠状部（すなわち、該形成部）と、の間に少なくとも１つのシールが形成されるよう設計される。該シールはエラストマー（例えば、Ｏ−リングシール）、ねじシール、金属対金属シール、又は当業者に公知の何等かの他のシールであってもよい。
【０００３】
或る用語は、ここでは、特に、坑壁内へ降下させるために管列を組み立てる時の様に、ねじ付き管状接合部がそれらの中心軸線に沿って垂直位置で結合される場合に、従来理解される様に、使われることは理解されるべきである。典型的に、雌雄ねじ付き管結合では、該結合部の雄部品は“ピン”部材と呼ばれ、雌部品は“ボックス”部材と呼ばれる。ここで使われる時、“組み立て”はピン部材をボックス部材内に係合させ、トルク及び回転により該部材を一緒になるようねじ込むことを言う。更に、用語“選択的組み立て”は望ましいトルク量で、又はボックス部材に対するピン部材の相対位置（軸方向又は円周方向の）に基づき、ピン部材とボックス部材を一緒にねじ込むことを言う。更に、用語“ボックス面”はボックスねじから外方へ面するボックス部材の端部であると理解され、用語“ピンノーズ”は結合部のねじ山から外方へ面するピン部材の端部であると理解される。この様であるから、結合部の組み立て時、ピンのノーズはボックスの面内に、そして該面を過ぎるよう、突き刺されるか、又は挿入される。
【０００４】
ねじ山の形状に言及すると、用語“負荷フランク”は、上にねじ山が形成されるそれぞれピン又はボックス部材の外端から離れるよう面し、該坑壁内にぶら下がる下部管状部材の重量を支える（すなわち、引っ張り負荷）ねじ山の側壁面を呼称する。同様に、“スタブフランク”は、それぞれピン又はボックス部材の外端の方に面し、該接合部の最初の組み立て時の上部管状部材の重さの様な、或いは下部管状部材を試錐孔底部に対するよう押すよう印加される力の様な、相互の方へ該接合部を圧縮する力（すなわち、圧縮力）を支持する、該ねじ山の側壁面を呼称する。
【０００５】
産油国の管状品物で普通使われる１つの種類のねじ結合部は楔形ねじ山として知られる。最初に図１Ａと１Ｂを参照すると、楔形ねじ山を有する従来技術の管結合部１００が示される。ここで使われる時、“楔形ねじ山”は、特定のねじ形に関係なく、ピン部材１０１とボックス部材１０２で反対方向に幅（すなわち、負荷フランク２２５及び２２６とスタブフランク２３２及び２３１の間の軸方向距離）が増加するねじ山である。結合部に沿ってねじ山の幅が変化する割合は、“楔形比”として知られる変数により規定される。ここで使われる時、“楔形比”は、技術的には比ではないが、スタブフランクリードと負荷フランクリードの間の差を言い、該差はねじ山の幅を結合部に沿って変化させる。更に、ここで使われる時、ねじ山“リード”は連続するねじ山上のねじ山部品間の差動距離を言
う。この様であるから、“スタブリード”は該結合部の軸方向長さに沿った連続するねじ山ピッチのスタブフランク間の距離である。楔形比の詳細論議は、引用によりその全体がここに組み入れられる特許文献１で提供される。更に、楔形ねじ山は引用によりその全体がここに組み入れられる特許文献２、３、４及び５で広く開示される。
【０００６】
なお図１Ａ及び１Ｂを参照すると、楔形ねじ山組み合わせのピンねじ山頂き２２２はピン部材１０１の遠位の端部１０８に向かって狭まり、一方ボックスねじ山頂き２９１は広くなる。軸線１０５に沿って動く（右から左へ）と、ピンねじ山頂き２２２は広くなり、一方ボックスねじ山頂き２９１は、該頂きがボックス部材１０２の遠位の端部１１０に近付くにつれ、狭まる。図１Ａに示す様に、該ねじはテーパー付けされ、ピンねじ山１０６は始めから終わりへ直径が増加し、一方ボックスねじ山１０７は相補的な仕方で直径が減じる。ねじテーパーを持つことは、ピン部材１０１をボックス部材１０２内に突き刺す能力を改善し、応力を該結合部中に分布させる。
【０００７】
一般に、ねじ山シールは非楔形（すなわち、フリーランニング）ねじ山では達成が難しい。しかしながら、フリーランニング構成で楔形シールを形成することが出来ないねじ山形は、楔形ねじ山構成で使われる時、ねじシールを創る。当業者により理解されるべき様に、楔形ねじ山は何等特殊なタイプ又は形状のねじ山形を要しないので、種々のねじ山形が使われてもよい。適当なねじ山形の１例が、引用によりその全体がここに組み入れられる特許文献６で開示された半ダブテイルねじ山形である。もう１つのねじ山形は、引用によりその全体がここに組み入れられる特許文献７で開示される様に、多数小平面付きの負荷フランク又はスタブフランクを有する。上記ねじ山形の各々は“トラップされた”ねじ山形であると考えられ、対応する負荷フランク及び／又は対応するスタブフランクの少なくとも１部分は軸方向に重なり合うことを意味する。
【０００８】
再び図１Ａ及び１Ｂを参照すると、楔形ねじ山では、ねじシールは、ピン負荷フランク２２６とボックス負荷フランク２２５の間及びピンスタブフランク２３２とボックススタブフランク２３１の間の結合部１００の少なくとも１部分上で組立時に起こる干渉により引き起こされる接触圧力により達成される。谷２９２と２２１、頂き２２２と２９１の間の狭い近接又は干渉は、この様なフランク干渉の近くで起こる時ねじシールを完成させる。一般に、ピン部材１０１とボックス部材１０２上の谷と頂の間の干渉を増すか、又は前記フランクの干渉（“谷／頂き干渉”）を増すか、何れかにより、高い圧力が含まれてもよい。
【０００９】
積極的停止トルク肩部を有する種々の楔形ねじ結合が存在するが（例えば、上記で参照された特許文献６）、楔形ねじ山は典型的にトルク肩部を有さず、従って該ねじの組立は“不静定”であり、結果として、ピン部材とボックス部材の相対位置は、印加されるべき与えられたトルク範囲で、組み立て時に、積極的停止トルク肩部を有する結合部より多く変動する。選択された組立でフランク干渉及び谷／頂き干渉を有するよう設計された楔形ねじについては、結合部はフランク干渉及び谷／頂き干渉の両者が、結合部が組み立てられると増加するように設計される（すなわち、トルクの増加がフランク干渉及び谷／頂き干渉を増加させる）。谷／頂き隙間を有するテーパー付き楔形ねじについては、該結合部が組み立てられる時該隙間は減少する。
【００１０】
楔形ねじ山の設計と関係無く、対応するフランクは組立時相互に近付く（すなわち、隙間が減少する又は干渉が増加する）。不静定の組立はフランク干渉及び谷／頂き干渉が、結合部上で組み立てトルクを増やすことにより増やされることを可能にする。かくして、楔形ねじ山は、結合部をより多くのフランク干渉及び／又は谷／頂き干渉を持つよう設計することにより、或いは該結合部上の組み立てトルクを増やすことにより、ガス及び／又は液体の高い圧力をねじシールすることが出来る。しかしながら、増加した干渉と組み立
てトルクは組立時の結合部の応力を増やし、該応力は該結合部の早過ぎる故障へ導く。
【００１１】
更に、示した様に、結合部１００は、ピン部材１０１とボックス部材１０２上に、それぞれ配置された対応するシール面１０３と１０４の間の接触により創られる金属対金属のシール１１２を有する。金属対金属のシール１１２は、ねじ結合部１００用にシールの完全性（すなわち、楔形ねじ山シールが充分でない時）の追加の対策を提供し、結合部１００が高圧力ガスを含むよう意図された場合、特に有用である。金属対金属シール１１２はピン部材１０２の遠位の端部１０８に近く配置されて示されるが、金属対金属シール１１２は、ボックス部材１０２の遠位の端部１１０に近い場所を含むが、それに限定されない、結合部１００の長さに沿うどんな場所にも位置付けられてよいことは当業者により理解されるべきである。
【００１２】
或る場合に、ねじ結合部のシール特性を改良し、ねじの摩滅に抵抗し、そして耐腐食性を提供する様な、種々の理由で１つ以上の“ドライな”表面コーティングが結合部のねじ山面に付けられてもよい。該表面コーティングがドライな様に特徴付けられるのは、該コーティングは流動するドープ型潤滑剤として付けられるよりも、ねじ山形に恒久的に接着するからである。例えば、本出願の被譲渡人に譲渡された特許文献８は、フリーランニングねじと、多層で付けられた表面コーティングと、を有するねじ接合部を開示している。しかしながら、楔形ねじ山は、該ねじ山形自身の複雑で、高い裕度のシール特性のために、表面コーティングについての新しい困難を呈する。従って、フリーランニングねじに現在付けられる表面コーティングの有益な特性を示す楔形ねじ山面用のドライ表面コーティングのニーヅが存在する。
【先行技術文献】
【特許文献】
【００１３】
【特許文献１】マリス（Mallis）に発行され、ハイドリル社（Hydril Company）に譲渡された米国特許第６,２０６,４３６号明細書
【特許文献２】ブローズ（Blose）に発行され、ハイドリル社に譲渡された米国特許第ＲＥ３０,６４７号明細書
【特許文献３】リーブス（Reeves）に発行され、ハイドリル社に譲渡された米国特許第ＲＥ３４,４６７号明細書
【特許文献４】オルトロフ（Ortloff）に発行され、ハイドリル社に譲渡された米国特許第４,７０３,９５４号明細書
【特許文献５】モット（Mott）に発行され、ハイドリル社に譲渡された米国特許第５,４５４,６０５号明細書
【特許文献６】クレメンチッチ（Klementich）に発行された米国特許第５,３６０,２３９号明細書
【特許文献７】チャーチ（Church）に発行された米国特許第６,７２２,７０６号明細書
【発明の概要】
【００１４】
１つの側面では、ここに開示される実施例はピン部材とボックス部材を有する管用ねじ接合部に関するが、該ピン部材は該ボックス部材の雌ねじに対応するよう構成された雄ねじを有し、該雌ねじ及び雄ねじのねじ山形は、スタブフランク及び負荷フランクと平坦な谷及び頂きとを有する略ダブテイル型のプロフアイルを備えており、該雌ねじは該ボックス上で１つの方向で幅を増加しており、そして該雄ねじは該ピン上でもう１つの方向で幅を増加しているので、該ねじ山の谷、頂き及びフランクは一緒に動き、シールを形成するが、該シール間の流体の流れに抵抗する該シールを形成する。該ねじ接合部は更に、該雌ねじ及び雄ねじの特定の領域に付けられたフルオロポリマーベースのコーティングと、該フルオロポリマーベースのコーティングを欠く該雌ねじ及び雄ねじの領域内に配置された
樹脂コーティングと、を有しており、該フルオロポリマーベースのコーティングと該樹脂コーティングは該雌ねじ及び雄ねじ山形の全表面上に実質的に均一な厚さの層を形成するよう構成される。
【００１５】
他の側面では、ここで開示される実施例は管接合部のねじ山面を改良する方法に関しており、該方法は雄楔形ねじ山を有するピン部材と、該ピン部材の該雄楔形ねじ山と対応するよう構成された雌楔形ねじ山を有するボックス部材と、を提供する過程と、該雌及び雄楔形ねじ山の全面を表面処理する過程と、該雌及び雄楔形ねじ山の指定された領域にフルオロポリマーベースのコーティングを付ける過程と、そして該雌及び雄ねじ山の全ねじ山面に、フルオロポリマーベースのコーティングに次いで、樹脂コーティングを付ける過程と、を具備しており、該樹脂コーティングは該フルオロポリマーベースのコーティングを欠いた領域に接着するよう構成される。
【００１６】
本発明の他の側面と利点は次の説明と附属する請求項から明らかである。
【図面の簡単な説明】
【００１７】
【図１Ａ】楔形ねじ山を有する従来技術の管状結合部の断面を示す。
【図１Ｂ】楔形ねじ山を有する従来技術の管状結合部の断面を示す。
【図２】本開示の実施例に依るねじ山面コーティングを有する楔形ねじ山の断面を示す。
【実施例１】
【００１８】
１側面では、ここで開示される実施例は楔形ねじ山に付けられる表面コーティングと、楔形ねじ山への該表面コーティングを付ける関連方法に関する。図２を参照すると、本開示の実施例による表面コーティング３００を有する楔形ねじ山形の断面が示される。表面コーティング３００は第１コーティング３１０と第２コーティング３１２を有し、該両コーティングは一緒になって該ねじ山形の全表面上に１つの均一表面コーティング層３００を形成する。図２は、ピン部材のねじ山に付けられた表面コーティング３００を示し、表面コーティング３００はピン部材及びボックス部材の両ねじ山、又はピン部材のねじ山のみ、又はボックス部材のねじ山のみ、に付けられてもよいことは理解されるべきである。或る実施例では、表面コーティング３００はボックス部材に付けられ、もう１つの耐腐食性コーティング及び／又は潤滑剤がピン部材に付けられてもよい。
【００１９】
ここで開示された実施例では、多数コーティング付着が、ねじ山表面全体を完全にカバーする単一均一コーティング層として表面コーティング３００を究極的に完成するよう要求されてもよい。ここに開示される実施例の付着方法は次の様に進行する。最初に、表面前処理（すなわち、化学的又は機械的表面処理）（図２には示されてない）が次のコーティング用に該ねじ山面を準備するためにねじ山面全体に適用される。化学的処理はねじ山表面用の準備コーティングであり、何等実質的厚さを有しなくてもよい。該化学的コーティングは燐酸塩コーティング、蓚酸塩コーティング及び硼酸塩コーティングを含むが、それらに限定されない。該化学的コーティングは、ねじ山表面への次のコーティングの最高の接着を促進し、該ねじ山面の摩滅及び腐食を防止するために、該ねじ山面にベースを形成する。例えば、次のコーティングによる該ねじ山表面への適当な接着を可能にするために、該ねじ山表面の面仕上げ又は粗さは、該化学的コーティングの付着後或る範囲内にあることが要求される。機械的処理はサンドブラスト又は他の研磨処理を含む。或る実施例では、平均表面粗さ（Ra）は約２．０マイクロメートルから６．０マイクロメートルの範囲内にある。他の実施例では、該平均表面粗さは約２．０から４．０マイクロメートルの範囲内にある。
【００２０】
該表面処理後、該ねじ山表面に第１コーティング３１０が付けられる。第１コーティン
グ３１０は溶剤と一緒に付けられてもよく、該溶剤は混合物の粘度を付着粘度（すなわち、該混合物を薄めるので、該混合物は該ねじ山表面により容易に付けられる）まで減じる。コーティング混合物に使われてもよい典型的有機溶剤は、２メトキシ−１メチル−エチルアセテート、キシレン、アセトン、テトラヒドロフラン、メチルエチルケトン、エチルアセテート、プロピルアセテート、ブチルアセテート、イソブチルアセテート、メチルイソブチルケトン、メチルアミルアセテート、ダイイソブチルケトン、エチレングリコールモノメチルエーテルアセテート、エチレングリコールモノエチルエーテル、及び上記品の混合物を含むが、それらに限定されない。該ねじ山表面上への第１コーティング３１０の付着後、該溶剤は典型的に該混合物から蒸発し、該ねじ山表面上の層として該第１コーティング３１０を残す。
【００２１】
第１コーティング３１０は一般に該ねじ山表面の特定の領域、すなわち、ねじ山頂き面３０４と、該ねじ山谷面３０２の実質的に中央の領域３０２Ａと、に付けられる。第１コーティング３１０は、該第１コーティング３１０の付着方法と、楔形ねじ山の構造により課せられる制限のために、ねじ山谷面３０２の実質的に中央の領域にだけ付けられる。第１コーティング３１０は一般に該ねじ山へ半径方向に付けられる（例えば、中心軸３０５に実質的に直角な方向で）。該半径方向が使われるのは、該半径方向が該谷面により均一な分布を生じ、かくして次のコーティングを付ける工程経過を少なくしか要しないからである。
【００２２】
この特殊な付着方法のため、該ねじ山形の構造は該第１コーティング３１０が付けられるねじ山形の領域に関して、制限を課す。前に説明した様に、或る実施例では、楔形ねじ山はトラップされた又はダブテイル型のねじ山形として特徴付けられる。図２で図解される様に、ダブテイルのねじ山形はねじ山谷３０２近くで短い軸方向幅を、そしてねじ山頂き３０４近くで長い軸方向幅を有する。かくして、ねじ山谷３０２の部分又は領域は隣接ねじ山頂き３０４と重なり合う、又は該ねじ山頂きによりカバーされる。ねじ山谷３０２の実質的に中央の領域は図２で３０２Ａで示され、一方該重なり合う領域は３０２Ｂで示される。従って、第１コーティング３１０はねじ山谷３０２の実質的に中央の領域３０２Ａに付けられるのみで、一方該コーティングはねじ山頂き３０４の面全体に付けられる。第１コーティング３１０は実質的に低い摩擦と低い表面張力特性を有する（すなわち、次のコーティングは第１コーティングに容易には付着しない）。ここに開示した実施例の低い摩擦値は約０．０８より小さい。他の実施例では、低い摩擦値は約０．０４より小さい。第１コーティング３１０の低い表面張力特性は下記で説明する様に、第２コーティングの付着に有利である。
【００２３】
第２コーティング３１２は第１コーティング３１０の後に、注入、スプレイ又は刷毛塗りによりねじ山の全表面に付けられる。しかしながら、第１コーティングの低い表面張力特性のために、第２コーティング３１２は第１コーティング３１０によりはじかれ、該ねじ山形の未コート領域の方へ移る。該第２コーティング３１２は一般的に、該第２コーティングの表面エネルギーが第１コーティングの表面エネルギーより高いと云う、両コーティング間の表面エネルギーの差のために、第１コーティング３１０によりはじかれる。或る実施例では、第２コーティングは第１コーティングの少なくとも２倍の表面エネルギーを有する。ここで開示した実施例の表面エネルギーの低い値は、約０．０５Ｎ／ｍ（約５０ｄｙｎｅ／ｃｍ）より小さい値である。他の実施例では、表面エネルギーの低い値は約０．０２Ｎ／ｍ（約２０ｄｙｎｅ／ｃｍ）より小さい。
【００２４】
第１コーティング３１０が付けられた後、該ねじ山形の未コート領域は一般的に、ねじフランク３０６（スタブ及び負荷の両フランク）と、該ねじ谷３０２の最外領域３０２Ｂ（軸方向）と、を含んでおり、該最外領域３０２Ｂは、ねじ山谷３０２からねじ山フランク３０６へのねじ山形移行部３０３内の移行部３０３の方へ、該中央領域３０２Ａから離
れるように延びている。第２コーティング３１２の付着後、結合部のねじ山面上には１層の均一表面コーティング３００（すなわち、一定厚さのコーティング）が存在する。該表面コーティング３００は必要なら熱処理により硬化される。或る実施例では、約１５０℃までの、或いはコーティングに依ってはもっと高温の付着後熱処理が行われてもよい。
【００２５】
１例では、第１コーティング３１０はフルオロポリマーベースのコーティングであってもよい。該フルオロポリマーベースのコーティングは、エポキシの様な熱硬化材内に分散されたフルオロポリマー固体（例えば、粉体）を有してもよい。該エポキシはエポキサイド（ビスフェノールＡのジグリシジルエーテルとノボラックエポキシ樹脂のみならず、当該技術で公知の何等かの他のエポキシを含むが、それらに限定されない、従来のグリシジルエポキシの様な）と当該技術で公知の硬化剤から形成される。該フルオロポリマーベースのコーティングは、中に分布するフルオロポリマーを有する熱硬化性網状結合を形成するよう硬化剤と反応する反応性エポキシを有する。該熱硬化材は、未反応であるが、望まれるねじ山表面上に付着時に硬化する反応性樹脂として送られる（すなわち、付けられる）。
【００２６】
該フルオロポリマー固体は、第１コーティングの望ましい特性（例えば、シール能力、耐摩滅性、耐腐食性、耐久性、他）を示すために指定割合で該エポキシ内に分散されてもよい。或る実施例では、該フルオロポリマー固体は約２０−４０重量パーセント寄与し、該エポキシは約４０−６０重量％寄与してもよい。加えて、２酸化チタンが該混合物内に存在し、５−１５重量パーセント寄与してもよい。ここで開示された実施例では、第１コーティング３１０の厚さは約１０−４０マイクロメートルの範囲内で変化してもよい。
【００２７】
或る実施例では、該フルオロポリマー粉体はポリテトラフルオロエチレン｛“ピーテーエフイー（PTFE）”｝であってもよい。ここで開示される実施例で使われてもよいフルオロポリマーの他の例は、パーフルオロアルコキシポリマー樹脂｛“ピーエフエイ（PFA）”｝、フッ化エチレンプロピレン｛“エフイーピー（FEP）”｝、ポリエチレンテトラフルオロエチレン｛“イーテーエフイー（ETFE）”｝、ポリフッ化ビニル｛“ピーブイエフ（PVF）”｝、ポリエチレンクロロトリフルオロエチレン｛“イーシーテーエフイー（ECTFE）”｝、ポリビニリデンフルオライド｛“ピーブイデーエフ（PVDF）”｝、ポリクロロトリフルオロエチレン｛“ピーシーテーエフイー（PCTFE）”｝、そしてパーフルオロポリエーテルホンブリン｛“ピーエフピーイー（PFPE）”｝、を含むがそれらに限定されない。
【００２８】
第２コーティング３１２はポリマー樹脂であり、該樹脂は該ねじ山の未カバー面、又は第１コーティング３１０によりなおカバーされてはいない面、をカバーするよう付けられる。第２コーティング３１２は該ねじ山面に着けられた後弾性特性を有してもよい。ポリマー樹脂の機能は該第１コーティングにより発生されたギャップを充たすことである。該弾性特性が有利であるのは、該材料が、各組み立てと分解後に、該材料の完全な侭のシール容量を伴いながら該材料の形状を回復するからである。該第２コーティングとして使われる樹脂の種類は、エポキシ、ポリエステルそしてエステルエポキシ樹脂を含むがそれらに限定されない。ここで開示した実施例では、第２コーティング３１２の厚さは約１０−４０マイクロメートルの範囲内で変わってもよい。第１コーティング３１０の低い摩擦と低い表面張力特性のために、該第２コーティング３１２、又は樹脂は、該第１コーティング３１０を欠くねじ山面の領域に選択的に分布する。換言すれば、第１コーティング３１０の低摩擦特性は第２コーティングが、第１コーティング３１０を欠くねじ山面の領域に移動するよう促進する（例えば、追い出すことにより）。かくして、第１コーティング３１０及び第２コーティング３１２は、下記で詳細に説明される様に、それらのそれぞれの別々の領域を占めることにより、ねじ山面全体上に１つの均一コーティング層３００を形成する。
【００２９】
代わりの実施例では、コーティングを付ける前に、銅メッキ層が該ねじ山面に付けられてもよい。或る実施例では、表面処理で約２．０マイクロメートルから６．０マイクロメートルの範囲内の平均面粗さ（Ｒａ）を提供してもよい。他の実施例では、該平均面粗さは約２．０と４．０マイクロメートルの間にあってもよい。耐腐食性合金はより厳しい又は極端な下向き掘削孔環境に耐えるためにより高クロム含有量を有してもよい。当業者は耐腐食性合金の選択を理解するであろう。
【００３０】
有利なことは、本開示の実施例は改良された摩滅防止及び耐焼き付き性の特性を有するねじ山面コーティングを提供し、該特性は該ねじ結合部が多数回の組み立て及び分解に耐えるこの様な表面コーティングを有することを可能にする。多数回の組み立て及び分解を乗り越えるようねじ結合の寿命を延ばすことは、摩耗した又は損傷したねじ結合部の取り換えに付随するコストを減じる。テストデータは、約１．２８９×１０4Ｎｍ（約９，５００フートポンド）トルク及び約２．７１４×１０4Ｎｍ（２０，０００フートポンド）トルクの間のトルク値で組み立てられ、ここで開示した実施例の表面処理を有する楔形ねじ結合部が、何れの連続する組み立て及び分解に於いても、ねじ山及びシール面の摩滅を経験しないことを示した。
【００３１】
加えて、ここで開示される実施例の表面コーティングは、組立時金属対金属の接触を除くことによりねじ結合部用に潤滑特性を提供する。更に、該表面コーティングは該ねじ結合部のシール特性を改良する。なお更に、該表面コーティングは改良された耐腐食性を提供し、それにより該ねじ結合部の有用寿命を延長させる。該ねじ結合部が長く役立ち続けられ得る程、保守及び機器交換のコストが減じられる。最後に、該表面コーティングは環境に優しく、何等汚染する可能性のある要素を含まない。
【００３２】
本開示が限定した数の実施例に関し説明されたが、本開示の利点を得た当業者は、ここに説明した開示の範囲から離れることなく他の実施例が工夫されることを評価するであろう。従って、本開示の範囲は附属する請求項に依ってのみ限定されるべきである。
【図１Ａ】
0006050302.tif 000002
【図１Ｂ】
0006050302.tif 000003
【図２】
0006050302.tif 000004